(57)【要約】【課題】送風機能を有する電子機器においてフィルタ交換の時期を予測して快適性を向上する。【解決手段】本発明のフィルタ管理装置は、空気を浄化するためのフィルタ４，５の劣化度合いを表す情報または劣化度合いを求めるための情報の入力を受け付ける劣化情報受付手段と、前記劣化情報受付手段で受け付けた情報またはこの情報から求まった計算結果をこの情報が取得された時期に関する情報と関連付けて記憶する履歴情報記憶装置１４と、前記履歴情報記憶手段の記憶内容を表示する表示装置１２と、を有することを特徴としている。  このような、構成によれば、フィルタ交換の時期を予測することができ、フィルタ性能の維持が容易となる。【選択図】図１
2009056446.tif 000002
【特許請求の範囲】
【請求項１】
空気を浄化するためのフィルタの劣化度合いを表す情報または劣化度合いを求めるための情報の入力を受け付ける劣化情報受付手段と、
前記劣化情報受付手段で受け付けた情報またはこの情報から求まった計算結果をこの情報が取得された時期に関する情報と関連付けて記憶する履歴情報記憶手段と、
前記履歴情報記憶手段の記憶内容を表示する表示手段と、
を有することを特徴とするフィルタ履歴管理装置。
【請求項２】
前記フィルタは空気調和機のフィルタであることを特徴とする請求項１記載のフィルタ履歴管理装置。
【請求項３】
前記フィルタは空気清浄機のフィルタであることを特徴とする請求項１記載のフィルタ履歴管理装置。
【請求項４】
前記フィルタは排気ファンのフィルタであることを特徴とする請求項１記載のフィルタ履歴管理装置。
【請求項５】
前記表示手段は、フィルタの劣化度合いを示す値とその値が取得された時期に関する情報を関連付けて表示することを特徴とする請求項１から請求項４のいずれか１項に記載のフィルタ履歴管理装置。
【請求項６】
前記表示手段は、フィルタの劣化度合いを示す値とフィルタの劣化に影響をおよぼす可能性のある出来事が発生した時を示す情報を同時に表示することができることを特徴とする請求項５記載のフィルタ履歴管理装置。
【請求項７】
前記表示手段は、フィルタの劣化度合いを示す値とフィルタの劣化に影響をおよぼす可能性のある量を表す数値を同時に表示することができることを特徴とする請求項５記載のフィルタ履歴管理装置。
【請求項８】
前記表示手段は、フィルタの劣化度合いまたはフィルタの劣化の速さを示す値の時間変化とともに、１週間前の同種の情報を同時に表示することができることを特徴とする請求項５記載のフィルタ履歴管理装置。
【請求項９】
前記表示手段は、フィルタの劣化度合いまたはフィルタの劣化の速さを示す値の時間変化とともに、１年前の同種の情報を同時に表示することができることを特徴とする請求項５記載のフィルタ履歴管理装置。
【請求項１０】
同一通風路内に直列に設置された複数のフィルタの劣化度合いを同じ画面に表示したことを特徴とする請求項１から請求項４のいずれか１項に記載のフィルタ履歴管理装置。
【請求項１１】
同一通風路内に直列に設置された２つのフィルタのうち１つのフィルタの劣化度合いを横軸にし、もう１方のフィルタに劣化度合いを縦軸にして、グラフを表示することを特徴とする請求項１から請求項４のいずれか１項に記載のフィルタ履歴管理装置。
【請求項１２】
水を浄化するためのフィルタの劣化度合いを表す情報または劣化度合いを求めるための情報の入力を受け付ける劣化情報受付手段と、
前記劣化情報受付手段で受け付けた情報またはこの情報から求まった計算結果をこの情報が取得された時期に関する情報と関連付けて記憶する履歴情報記憶手段と、
前記履歴情報記憶手段の記憶内容を表示する表示手段と、
を有することを特徴とするフィルタ履歴管理装置。
【請求項１３】
前記フィルタは水処理装置のフィルタであることを特徴とする請求項１２記載のフィルタ履歴管理装置。
【発明の詳細な説明】
【技術分野】
【０００１】
本発明は、フィルタを有する電子機器およびその電子機器で使用するフィルタの履歴管理装置に関する。
【背景技術】
【０００２】
従来のフィルタを有する電子機器、例えば空気調和機では、フィルタの交換が必要となると、交換が必要である旨表示して、フィルタの交換を促すようになっている（例えば、特許文献１の第２図、第３図（警報ランプ１７等）参照）。
【０００３】
また、空気清浄機や放熱を利用した送風機でも同様にフィルタの交換時期になるとその旨表示するものがある。
【特許文献１】実開平２−４８１２０号公報（全文）
【発明の開示】
【発明が解決しようとする課題】
【０００４】
しかしながら、このような装置では、フィルタの交換が必要になってから、その旨表示されるため、空気調和機を止めてフィルタの交換をしなければならない。
【０００５】
さらに、フィルタの劣化は特に、空気調和機の風量が多いときに進むため、空気調和機の運転の必要性が特に必要な時ほどフィルタ交換が必要となる確率が高くなる傾向があり、フィルタ性能の維持が容易でなかった。
【０００６】
また、空気清浄機、フィルタを有する放熱用ファンについても、同様に、フィルタの交換が必要になってから、その旨表示されるため、使用している空気清浄機等を止めてフィルタを交換しなければならず、フィルタ性能の維持が容易でないという課題がある。
【０００７】
そこで、本発明は、フィルタを有する電子機器のフィルタ性能の維持を容易にすることを目的とする。
【課題を解決するための手段】
【０００８】
そして、この目的を達成するために、本発明のフィルタ履歴管理装置は、
空気を浄化するためのフィルタの劣化度合いを表す情報または劣化度合いを求めるための情報の入力を受け付ける劣化情報受付手段と、
前記劣化情報受付手段で受け付けた情報またはこの情報から求まった計算結果をこの情報が取得された時期に関する情報と関連付けて記憶する履歴情報記憶手段と、
前記履歴情報記憶手段の記憶内容を表示する表示手段と、
を有することを特徴としている。
【発明の効果】
【０００９】
このような、構成によれば、フィルタの交換時期を予測し、フィルタの交換時期の前後で交換作業による悪影響が少ない時を選んでフィルタの交換をすることが可能となるため、フィルタ性能の維持が容易となる。
【発明を実施するための最良の形態】
【００１０】
本発明のフィルタ履歴管理装置は、空気を浄化するためのフィルタの劣化度合いを表す情報または劣化度合いを求めるための情報の入力を受け付ける劣化情報受付手段と、劣化情報受付手段で受け付けた情報またはこの情報から求まった計算結果をこの情報が取得された時期に関する情報と関連付けて記憶する履歴情報記憶手段と、履歴情報記憶手段の記憶内容を表示する表示手段と、を有することを特徴としている。
【００１１】
このようにすることにより、フィルタの交換時期を予測し、フィルタの交換時期の前後で交換作業による悪影響が少ない時を選んでフィルタの交換をすることが可能となるため、フィルタ性能の維持が容易となる。
【００１２】
また、本発明のフィルタ履歴管理装置は、さらに、フィルタは空気調和機のフィルタであることを特徴としてもよい。
【００１３】
このようにすることにより、季節によってフィルタの劣化度合が大きくことなる空気調和機において、フィルタの交換時期を予測し、フィルタ性能の維持が容易となる。
【００１４】
また、本発明のフィルタ履歴管理装置は、さらに、フィルタは空気清浄機のフィルタであることを特徴としてもよい。
【００１５】
このようにすることにより、空気清浄機において、フィルタの交換時期を予測し、フィルタ性能の維持が容易となる。
【００１６】
また、本発明のフィルタ履歴管理装置は、さらに、フィルタは排気ファンのフィルタであることを特徴としてもよい。
【００１７】
このようにすることにより、テレビやパソコンやコピー機などの電子機器の冷却のための排気ファンにおいて、フィルタの交換時期を予測し、フィルタ性能の維持が容易となる。
【００１８】
また、本発明のフィルタ履歴管理装置は、さらに、表示手段は、フィルタの劣化度合いを示す値とその値が取得された時期に関する情報を関連付けて表示することを特徴としてもよい。
【００１９】
このようにすることにより、過去のフィルタの劣化の履歴を容易に知ることが可能となる。
【００２０】
また、本発明のフィルタ履歴管理装置は、さらに、表示手段は、フィルタの劣化度合いを示す値とフィルタの劣化に影響をおよぼす可能性のある出来事が発生した時を示す情報を同時に表示することができることを特徴としてもよい。
【００２１】
このようにすることにより、フィルタの劣化に影響をおよぼす可能性のある出来事の発生とフィルタの劣化の相関関係を把握することが可能となる。
【００２２】
また、本発明のフィルタ履歴管理装置は、さらに、表示手段は、フィルタの劣化度合いを示す値とフィルタの劣化に影響をおよぼす可能性のある量を表す数値を同時に表示することができることを特徴としてもよい。
【００２３】
このようにすることにより、フィルタの劣化度合いを示す値とフィルタの劣化に影響をおよぼす可能性のある数値の相関関係を把握することが可能となる。
【００２４】
また、本発明のフィルタ履歴管理装置は、さらに、表示手段は、フィルタの劣化度合いまたはフィルタの劣化の速さを示す値の時間変化とともに、１週間前の同種の情報を同時に表示することができることを特徴としてもよい。
【００２５】
このようにすることにより、１週間前の劣化度合との比較が可能となる。
【００２６】
また、本発明のフィルタ履歴管理装置は、さらに、表示手段は、フィルタの劣化度合いまたはフィルタの劣化の速さを示す値の時間変化とともに、１年前の同種の情報を同時に表示することができることを特徴としてもよい。
【００２７】
このようにすることにより、１年前の劣化度合との比較が可能となる。
【００２８】
また、本発明のフィルタ履歴管理装置は、さらに、同一通風路内に直列に設置された複数のフィルタの劣化度合いを同じ画面に表示したことを特徴としてもよい。
【００２９】
このようにすることにより、同一通風路内に直列に設置された複数のフィルタの寿命の比較が可能となる。
【００３０】
また、本発明のフィルタ履歴管理装置は、さらに、同一通風路内に直列に設置された２つのフィルタのうち１つのフィルタの劣化度合いを横軸にし、もう１方のフィルタに劣化度合いを縦軸にして、グラフを表示することを特徴としてもよい。
【００３１】
このようにすることにより、同一通風路内に直列に設置された複数のフィルタの寿命の比較が可能となる。
【００３２】
本発明のフィルタ履歴管理装置は、水を浄化するためのフィルタの劣化度合いを表す情報または劣化度合いを求めるための情報の入力を受け付ける劣化情報受付手段と、劣化情報受付手段で受け付けた情報またはこの情報から求まった計算結果をこの情報が取得された時期に関する情報と関連付けて記憶する履歴情報記憶手段と、履歴情報記憶手段の記憶内容を表示する表示手段と、を有することを特徴としてもよい。
【００３３】
このようにすることにより、フィルタの交換時期を予測し、フィルタ性能の維持が容易となる。
【００３４】
また、本発明のフィルタ履歴管理装置は、さらに、水処理装置のフィルタであることを特徴としてもよい。
【００３５】
このようにすることにより、水処理装置において、フィルタの交換時期を予測し、フィルタ性能の維持が容易となる。
以下、本発明の実施の形態について、図面を参照しながら説明する。
【００３６】
（第１の実施の形態）
図１は、第１の実施の形態における説明図である。
【００３７】
本体ケース１に中に熱交換器２があり、ファン３を動作させることにより、空気を熱交換器２に送ることができる。
【００３８】
ファン３の上流側にフィルタ４を有し、ファン３の下流側にフィルタ５を有する。
【００３９】
さらに、フィルタ４の入り口と出口の差圧を計測する差圧計測手段として機能する差圧計６と、フィルタ５の入り口と出口の差圧を計測する差圧計測手段として機能する差圧計７を有する。
【００４０】
ファン３には電源８から交流の電力が供給されていて、電力の周波数とファン３の回転数は比例するように制御されている。
【００４１】
送信装置９には差圧計６，７の測定結果と電源８が供給する電力の周波数の情報が集められ、これらの情報は、送信装置９からフィルタ４，５の管理をする部屋に置かれた受信装置１０に送信される。
【００４２】
演算部１１は受信装置１０が受信した情報をもとづいて、フィルタ４，５の劣化度合を計算して結果を表示装置１２に表示する。
【００４３】
電源８の周波数はファン３の回転数と比例していて、さらに、ファン３の回転数から熱交換器２に送られる風量が求まる。
【００４４】
従って、演算部１１では、電源８の周波数の情報をフィルタ４、フィルタ５を通過する風量の情報として用いる。
【００４５】
フィルタ４の劣化度合は下記のようにして計算する。
【００４６】
図２は、フィルタ４の風量と圧力損失の関係を示したグラフである。
【００４７】
フィルタ４を交換または洗浄した直後若しくは空気調和機を設置した直後（以下この状態を、「フィルタ４の初期状態」と言う。）の風量とフィルタ４の入り口と出口の差圧（圧力損失）は曲線Ｌ２のようになっている。
【００４８】
一方、フィルタ４が目詰まりし、交換時期になる（すなわち、交換または清掃が必要となる）と風量と差圧（圧力損失）の関係は曲線Ｌ１のようになっている。
【００４９】
フィルタ４を通過する風量とフィルタ４の前後の差圧の測定値が点Ａ１で示される値であれば、曲線Ｌ１上に点Ａ１があるため、フィルタ４は交換時期である。
【００５０】
フィルタ４，５の初期状態を「１００％」、交換時期を「０％」と表すこととすると、フィルタ４の性能（フィルタの劣化度合）は「０％」と表される。
【００５１】
また、フィルタ４を通過する風量とフィルタ４の前後の差圧の測定値が点Ｂ１である場合も同様に曲線Ｌ１上に点Ｂ１があるため、フィルタ４は交換時期で、フィルタ４の性能は「０％」と表される。
【００５２】
測定した値がＢ３のように曲線Ｌ２上にある場合は、フィルタ４は初期状態であるので、フィルタ４の性能は「１００％」と表される。
【００５３】
また、測定した値がＢ２のように、曲線Ｌ１と曲線Ｌ２のいずれの上にもない場合は下記のようにしてフィルタ４の性能（フィルタ４の劣化度合）を求める。
【００５４】
すなわち、フィルタ４を通過する空気の風量の測定結果（電源８の周波数）Ｂを用いてフィルタ特性記憶装置１３の記憶内容を参照して、フィルタ４の交換時期の差圧ｂ１とフィルタ４の初期状態の差圧ｂ３を求め、差圧の実測値ｂ２を用いて
１００％×（ｂ１−ｂ２）÷（ｂ１−ｂ３）
を計算し、この値をフィルタ４の性能（フィルタ４の劣化度合）として用いる。
【００５５】
この値は、フィルタ４が初期状態のときは１００％であり、フィルタ４が劣化することにより差圧が増加するに従って０％に近づき、フィルタ４の交換時期とされる差圧になると０％になる。
【００５６】
フィルタ５の性能（フィルタ５の劣化度合）も同様にして求める。
【００５７】
演算部１１は、このようにして求めたフィルタ４，５の性能とフィルタ４，５の差圧と風量を測定した日時を関連付けて履歴情報記憶装置１４に記憶させる。
【００５８】
なお、上記の説明ではフィルタ４，５の性能とフィルタ４，５の差圧と風量の両方を記憶させたが、（１）フィルタ４，５の性能のみを記憶させてもよいし、（２）フィルタ４，５の差圧と風量のみを記憶させてもよい。
【００５９】
（１）フィルタ４，５の差圧と風量の情報を後に使用する可能性がない場合は、フィルタ４，５の性能のみを記憶させるだけで十分である。
【００６０】
（２）また、フィルタ４，５の差圧と風量のみを記憶させておき、フィルタ４，５の性能の情報が必要なときには記憶しているフィルタ４，５の差圧と風量の情報からフィルタ４，５の性能を表す値を計算することが可能である。
【００６１】
このようにすることにより、フィルタ４，５の性能とフィルタ４，５の差圧と風量の両方を記憶する場合よりも履歴情報記憶装置１４の記憶容量を減らすことが可能となる。
【００６２】
履歴情報記憶装置１４に記憶されたフィルタ４，５の性能の履歴は下記のようにして利用される。
図３は、今年の１月から現在までのフィルタ４の性能の実績データと将来の予測を表示する場合に、表示装置１２に表示する内容を表した図である。
【００６３】
実線で表示した部分１５が現在までのフィルタ４の性能の実績データを表す。
【００６４】
破線で示した部分は今後のフィルタ４の性能の変化の予測を表示している。
【００６５】
予測は３通り表示されている。すなわち、現在までのフィルタ４の性能の変化が今後も継続するとした予測１６と、フィルタ４の劣化の速度が今までの２倍となるとした予測１７とフィルタ４の劣化の速度が半分になるとした予測１８の３通りが表示される。
【００６６】
この予測を見て、フィルタの交換時期と予測される日の直前の休日にフィルタの交換の予定を入れることができる。
【００６７】
通常の場合、すなわち、今後予測される天気が今までと同じで、フィルタ４の劣化の速度は変化しないと予測される場合は、予測１６を使用して、フィルタ４の交換の予定を決めればよい。
【００６８】
一方、夏季使用時において、今後予測される気温が上がり、空気調和機の使用頻度が２倍になると予測される場合は、フィルタ４の劣化の速度が２倍となることを予測する予測１７を用いればよい。
【００６９】
また、夏季使用時において、今後予測される気温が下がり、空気調和機の使用頻度が半分になると予測される場合は、フィルタ４の劣化の速度が半分となることを予測する予測１８を用いればよい。
【００７０】
このように、履歴情報記憶手段１３の内容を表示装置１２に表示することにより、フィルタ４の交換時期を予め予測して、フィルタを有する電子機器を停止しても支障のない、休業日などを選んで、フィルタ４の交換ができるため、営業日にフィルタを有する電子機器を停止する必要がなくフィルタ性能の維持が容易となり、快適性も向上する。
【００７１】
すなわち、居室内の清浄度を適正な範囲に保った上で、フィルタ４，５を寿命近くまで使用することが可能となる。
【００７２】
なお、上記の説明では、空気調和機の場合について述べたが、空気調和機に限られない、例えば、クリーンルームを維持するための空気清浄機の場合は、フィルタ性能の変化を確認しながらフィルタの交換時期を決めることができるため、クリーンルームの性能を維持することが容易となる。
【００７３】
また、使用期間のみで交換時期か否かを判定していたときは、フィルタ４の実際の劣化度合が不明なため、フィルタ４の劣化の速度が速い場合を想定して交換時期を決めなければならなかったが、フィルタ４の劣化度合がわかることによりフィルタ４の交換時期を伸ばしライフサイクルコストを低減することが可能となる。
【００７４】
また、従来、交換時期を推定するためには、メーカー担当者に問い合わせたり、メーカー特性図などから、都度、寿命を手書きで分析したりという煩雑な作業が必要であったが、フィルタ特性記憶装置１３にフィルタ４，５の特性に関する情報が記憶されていて、演算部１１がフィルタの劣化度合を計算し、表示装置１２に計算結果である劣化度合が表示されるため、これらの煩雑な作業が不要となる。
【００７５】
また、フィルタ４，５の劣化度合の計算が、演算部１１によって自動的に行なわれるため、フィルタ４，５の劣化度合を求めるための知識または経験が不要となり、フィルタ４，５の点検のための巡回担当者の知識または経験によるサービス品質のバラツキを抑制することが可能となる。
【００７６】
（イベント情報との照合）
図４は、フィルタ４の性能の劣化の履歴とともに、フィルタ４の性能の劣化の速度に影響を与える可能性がある事象が発生した時期を表す情報を同時に表示する場合に、表示装置１２に表示する内容を表した図である。
【００７７】
実線１９は２０１０年の１月から１２月までのフィルタ４の性能の劣化の履歴を表している。
【００７８】
また、縦線２０はフィルタ４を通過する空気の吸入口の近くで行なわれた道路工事の時期を示している。
【００７９】
３月ごろは、空調機を使用しない日が多いにもかかわらず、フィルタ４の劣化が進んでいるが、この時期の道路工事が行なわれていることがすぐにわかり、フィルタ４の劣化の原因は道路工事の可能性があると認識することが可能となる。
【００８０】
このように、フィルタ４の劣化の履歴とともに、フィルタ４の劣化の速度に影響する可能性がある事象を表示することにより、フィルタ４の劣化の原因を推定するための情報を容易に選択することが可能となる。
【００８１】
なお、図４では、フィルタ４の劣化の速度に影響する可能性がある事象として道路工事の例を示したが、これ以外に、黄砂が飛んだとき、台風等で道路の塵が舞い上がったときをフィルタ４の劣化の履歴とともに表示装置１２に表示するようにしてもよい。
【００８２】
さらに、図４では、１年前のフィルタ４の劣化の履歴も同時に実線２１で表示している。
【００８３】
このようにすることにより、１年前の状況と比較することができる。
【００８４】
昨年の劣化の履歴と異なるところは３月ごろの劣化の速度であるため、このころに季節以外の原因でフィルタ４が劣化していることがわかり、フィルタ４の劣化の原因を探すための情報が得られる。
【００８５】
また、１週間単位で空調機の使用頻度が変化する場合は１週間前のフィルタ４の劣化の履歴を重ねることによって、フィルタ４の劣化の原因を探すために情報が得られる。
【００８６】
（環境の変化）
図５は、フィルタ４の性能の劣化の履歴とともに、フィルタ４の性能の劣化の速度に影響を与える可能性がある環境の変化が発生した時期を表す情報を同時に表示する場合に、表示装置１２に表示する内容を表した図である。
【００８７】
実線２２は１年間のフィルタの性能の変化を表し、縦線２３はこのときに新工場の建設が始まったことを表し、縦線２４はこのときに新工場の建設が終わったことを表す。今年のフィルタの性能の変化２２を昨年のフィルタの性能の変化２５と比較すると、ちょうど新工場の建設時にフィルタ４の劣化が早いことがわかり、工場建設のために塵が増加した可能性があることを認識できる。
【００８８】
また、新工場の建設が終わった後の夏はフィルタ４の劣化が去年ほど進んでいないことがわかり、新工場の為に日当たりが悪くなり、空気調和機の使用頻度が少なくなった可能性があることを認識することができる。
【００８９】
また、新工場の建設が終わった後の冬は去年に比べてフィルタ４の劣化の速度が速いことがわかり、新工場の為に日当たりが悪くなり、暖房のために、空気調和機の使用頻度が多くなった可能性があることを認識することができる。
【００９０】
（フィルタの劣化に影響がある値）
図６はフィルタ４の劣化の履歴とフィルタ４の劣化に影響をおよぼす可能性のある量を表す値を同時に表示する場合に、表示装置１２に表示する内容を表した図である。
【００９１】
実線２６はフィルタ４の性能（フィルタ４の劣化度合）の履歴を示し、実線２７はフィルタ４を通過する空気の取り込み口の周辺の車両の通行量の変化を示している。
【００９２】
ちょうど通行量が多いときに、フィルタ４の劣化の速度が速くなっているため、周辺の車両の排気ガスが主な原因でフィルタ４が劣化している可能性があると判断することができる。
【００９３】
なお、フィルタ４の性能（フィルタ４の劣化度合）の値を用いる代わりに、この値の時間微分をフィルタ４の劣化の速さを示す値として用いて、表示するようにしてもよい。この値の時間微分と周辺の車両の通行量の時間変化を表す曲線２７が同じ形であると、この周辺の車両の通行量がフィルタの劣化に影響している可能性が高いと考えることが可能となる。
【００９４】
また、周辺の車両の通行量とフィルタ４の劣化の速さの関係がわかると、周辺の車両の通行量の予測からフィルタ４の交換時期の予測が可能となる。
【００９５】
なお、図６では、周辺の車両の通行量の時間変化を表す曲線２７を表示装置に表示する例を示したが、フィルタ４に影響をおよぼす値であればよい。
【００９６】
たとえば、気温変動を表す値の変化をフィルタ４の性能の変化とともに表示してもよく、気温によるフィルタ４の性能への影響が確認できる。
【００９７】
過去の気温とフィルタ４の劣化度合の履歴情報を用いて、気温とフィルタ４の劣化の関係がわかると、気温の予測からフィルタ４の交換時期の予測が可能となる。
【００９８】
また、フィルタ４に影響をおよぼす値として、大気汚染の程度、エアコン等の電子機器の１日あたりの使用時間、１日あたりの日照時間、出社人数等を用いてもよい。
【００９９】
（昨年の情報からフィルタの交換時期予測）
図７は、過去のフィルタ４の性能の時間変化と現在のフィルタ４の性能からフィルタ４の交換時期を予測するときに、表示装置１２に表示する内容を表した図である。
【０１００】
実線２８は昨年のフィルタ４の性能の変化を示し、実線２９は今年のフィルタ４の性能の実績を示し、縦線３０は現在日時を示している。
【０１０１】
破線３１は今後フィルタ４が昨年の同じ月と同じ速度で劣化するとして計算したフィルタ４の予測を表す。
【０１０２】
このようにすれば、フィルタ４の交換時期の予測ができるため、フィルタ４の交換時期の直前の休業日を利用してフィルタ４の交換をするなどの対応が可能なため、快適性を向上することができる。
【０１０３】
（フィルタの寿命の比較）
図８は、フィルタ４とフィルタ５の性能の変化を同時に表示する場合に、表示装置１２に表示する内容を表した図である。
【０１０４】
フィルタ４を通過した空気の全てがフィルタ５を通過するため、フィルタ４とフィルタ５の劣化の速度は比例する。
【０１０５】
図８で示された、表示装置１２の画面から、フィルタ４とフィルタ５の劣化の速度が比例していることを確認でき、さらに、フィルタ５の寿命はフィルタ４の寿命の約２倍であることが読み取れる。
【０１０６】
従って、フィルタ５の性能を知るための差圧計６を廃止して、フィルタ４を２回交換（または清掃）する毎に、フィルタ５を交換（または清掃）するようにしてもよいことがわかる。
【０１０７】
図９は、縦軸にフィルタ４の性能、横軸にフィルタ５の性能の表す軸を設けて、フィルタ４とフィルタ５の性能の変化を比較したものである。
【０１０８】
グラフが直線に近いため、フィルタ４とフィルタ５の劣化の速度は比例していることがわかる。
【０１０９】
また、グラフの傾きからフィルタ４とフィルタ５の劣化の速度を比較することが可能である。
【０１１０】
例えば、フィルタ５を異なる種類の新たなフィルタに交換した結果、傾きが同じであれば、新たなフィルタはフィルタ５と同じ寿命であることがわかる。
【０１１１】
一方、新たなフィルタに交換したとこによって、傾きが大きくなった場合はフィルタ５よりも新たなフィルタの方が寿命が短いことがわかる。
【０１１２】
（フィルタ４，５特性の記憶方法）
フィルタ特性記憶装置１３の記憶内容は（１）風量と差圧の組を複数有する情報であってもよいし、（２）風量から差圧を計算する計算式であってもよい。
（１）風量と差圧の組を複数有する情報の場合は、交換時期のフィルタ４，５または交換時期と初期状態のフィルタ４，５の風量と差圧の実測値をそのまま記憶させるのみでもよいため、記憶させるための情報を容易に作成することが可能である。
【０１１３】
例えば、現場でフィルタ４，５の微調整をした場合に、交換毎にフィルタ４またはフィルタ５の特性を実測し、その値を初期状態のフィルタ４またはフィルタ５の特性として記憶させるときは、その実測値をフィルタ特性記憶装置１３にそのまま記憶させることができる。このように、フィルタ４またはフィルタ５の交換毎に特性の実測値をフィルタ特性記憶装置１３に記憶させることにより、現状に近い初期状態のフィルタ４，５の特性を参照してフィルタ４，５のメンテナンスを行うことができる。
（２）一方、風量から差圧を計算する計算式をフィルタ特性記憶装置１３に記憶させる場合は、任意の風量に対して容易に差圧を求めることが可能となる。また、記憶させる情報量を少なくすることができる。
【０１１４】
（送信装置９を用いない場合）
なお、上記の実施の形態では、風量に比例する量の計測結果と差圧計６，７の計測結果を送信装置９と受信装置１０を用いて演算部まで伝えているが、演算部１１にこれらの情報を伝える方法はこれに限られない。
【０１１５】
例えば、電源８の周波数、差圧計６，７の測定結果をアナログメータまたはデジタルメータで表示し、巡回担当者がアナログメータまたはデジタルメータを目視で読取り、巡回担当者が携帯している端末に読取った数値を入力し、巡回が終わった後に、入力した数値を演算部１１がその端末から読取るようにしてもよい。
【０１１６】
また、例えば、演算部１１、表示装置１２、フィルタ特性記憶装置１３が差圧計６，７、電源８の近くにあり、電源８の周波数と差圧計６，７の測定結果を直接受取るようにしてもよい。
【０１１７】
このようにすることにより、巡回点検をした現場でフィルタ４，５の交換が必要であるか否かを判定することが可能となる。
【０１１８】
なお、送信装置９と受信装置１０を用いる場合は受信装置１０が測定結果の入力を受け付ける測定結果入力手段となるため、フィルタ管理装置は受信装置１０、演算部１１とフィルタ特性記憶装置１３がフィルタ管理装置としての役割を果す。一方、送信装置９と受信装置１０を用いない場合は、演算部１１が直接測定結果の入力を受け付ける測定結果入力手段の役割を果すため、フィルタ管理装置は演算部１１とフィルタ特性記憶装置１３がフィルタ管理装置としての役割を果たすこととなる。
【０１１９】
なお、上記の実施の形態では、フィルタ４，５の劣化の度合いを調べる方法としてフィルタ４，５の差圧とフィルタ４，５を通過する空気の風量を用いたが、これに限られない。
【０１２０】
たとえば、フィルタの色を計測する方法、塵の捕集率を直接計測する方法、測定時のみ風量を所定の値にしてフィルタ４，５の差圧を計測する方法等を用いてもよい。
【０１２１】
（第２の実施の形態）
第１の実施の形態では熱交換器２を有する装置について述べたが、熱交換器２を有さない実施の形態について述べる。
【０１２２】
室内の空気からアレルゲンやカビなどの有害な塵を取り除くことを目的とする装置（電子機器）は、必ずしも熱交換器２を必要としないが、花粉が多く発生する時期などは使用頻度が高くなるためフィルタ交換の期間が短くなるなど、季節よって変化する。また、フィルタ４の交換のために送風を止めるため、その間、室内の空気に塵が含まれたままになるなど快適性が保たれない。
【０１２３】
従って、フィルタ４の性能の履歴を記憶させることによって、フィルタ４の交換が必要となる時期を予測して、フィルタ４の交換が必要となる時期の直前で装置（電子機器）を止めても影響が少ないとき（例えば、雨が降っていて花粉が飛ばない日）を選んでフィルタ４を交換することができるためフィルタ性能の維持が容易となり、快適性も向上する。
【０１２４】
（第３の実施の形態）
第１の実施の形態、第２の実施の形態では居住空間の空調や浄化を目的としたものであるが、第３の実施の形態では、テレビやパソコンやコピー機などの電子機器の冷却のための装置について述べる。
【０１２５】
電子機器内の部品の温度が一定以上になると、故障や誤動作の原因となるため、部品から発生した熱を外部へ放出するためにファンが使用される。
【０１２６】
この場合に、ファンが電子機器内に送り込む空気に塵が含まれていると電子機器内の部品や配線に塵が付着し部品の冷却の妨げとなったり、部品の劣化の原因となったりするため、ファンの吸入口または排出口にフィルタが取り付けられる。
【０１２７】
また、部品に流れる電流が増加したり、部品に流れる信号の周波数が増えるなどして部品から放出される熱が増加したり、環境温度が上がったりした場合は、冷却の能力を上げる必要があるため、ファンの回転数を上げるなどして、電子機器内に送り込む風量を増加させる。
【０１２８】
したがって、そのときの状況によって、フィルタの寿命が変化する。
【０１２９】
フィルタの交換が必要となり、フィルタを交換するときは、テレビ、パソコン等の使用を停止しなければならない。
【０１３０】
しかし、フィルタの劣化度合の履歴を記憶しておくことで、予めフィルタの交換が必要となる時期が予測できるため、フィルタの交換が必要となる時期の直前でテレビ、パソコン等を使用していないときにフィルタの交換をすることにより、使用している最中に、テレビ、パソコン等を停止する必要がなく、フィルタ性能の維持が容易となり、快適性も向上する。
【０１３１】
（第４の実施の形態）
なお、第１〜第３の実施の形態では気体をフィルタを通して移動させるものについて説明をしたが、液体をフィルタを通して移動させるものでもよい。
【０１３２】
例えば、浄水器のフィルタは水の使用量が多いときや水の中の不純物が多いときは劣化の速度が速くなるため、そのときの状況によって、フィルタの寿命が変化する。
【０１３３】
フィルタの交換が必要となり、フィルタを交換するときは、浄水器を止めなければならず、ちょうど食事の準備等をしているときであれば不都合である。
【０１３４】
しかし、フィルタの劣化度合の履歴を記憶しておくことによって、予めフィルタの交換が必要となる時期が予測できるため、フィルタの交換が必要となる時期の直前で水を使用しないときにフィルタを交換しておけば水を使っている途中に水が使えなくなることがなくなり、フィルタ性能の維持が容易となり、快適性も向上させることが可能となる。
【産業上の利用可能性】
【０１３５】
本発明は空調機、空気清浄機、フィルタつきの冷却用ファンなど、フィルタを通じて送風等する装置のフィルタの履歴管理に利用可能である。
【図面の簡単な説明】
【０１３６】
【図１】本発明の第１の実施の形態における説明図
【図２】フィルタの風量と圧力損失の関係を示したグラフ
【図３】本発明の第１の実施の形態における表示装置に表示する内容を表した図
【図４】本発明の第１の実施の形態における表示装置に表示する内容を表した図
【図５】本発明の第１の実施の形態における表示装置に表示する内容を表した図
【図６】本発明の第１の実施の形態における表示装置に表示する内容を表した図
【図７】本発明の第１の実施の形態における表示装置に表示する内容を表した図
【図８】本発明の第１の実施の形態における表示装置に表示する内容を表した図
【図９】本発明の第１の実施の形態における表示装置に表示する内容を表した図
【符号の説明】
【０１３７】
１    本体ケース
２    熱交換器
３    ファン
４，５    フィルタ
６，７    差圧計（差圧計測手段）
８    電源
９    送信装置
１０    受信装置
１１    演算部
１２    表示装置
１３    フィルタ特性記憶装置（フィルタ特性記憶手段）
１４    履歴情報記憶装置
１５，１９，２１，２２，２５，２６，２８，２９    フィルタの性能の履歴を表す実線
１６，１７，１８，３１    フィルタの性能の予測を表す破線
２０，２３，２４    フィルタの影響をおよぼす可能性のある事象に時期を表す縦線
２７    フィルタに影響を及ぼす可能性のある量の履歴を表す実線
【図１】
2009056446.tif 000003
【図２】
2009056446.tif 000004
【図３】
2009056446.tif 000005
【図４】
2009056446.tif 000006
【図５】
2009056446.tif 000007
【図６】
2009056446.tif 000008
【図７】
2009056446.tif 000009
【図８】
2009056446.tif 000010
【図９】
2009056446.tif 000011